(57)【要約】【課題】汎用性があり、いずれの河川においても、流砂量の検出を可能とした流砂量計測器及び水力発電所の取水制御装置を提供する。【解決手段】流砂量計測器１０は、流砂との衝撃の大きさを表す検出信号を出力する加速度計２０と、流砂の大きさの混合割合が異なる毎に、単位時間当たり加速度の積分値と、単位時間当たり流砂量とが関連付けされた組合せを、複数個有しているデータベースを有する。流砂量計測器１０は、検出信号を絶対値化した波形を結ぶ包絡線と、所定時間枠とで囲まれた領域の時間積分値を演算する第１演算部３３と、時間積分値に基づいて単位時間当たりの加速度の積分値を演算する第２演算部３４を備える。流砂量計測器１０は、入力された流砂の大きさ混合割合及び単位時間当たりの加速度の積分値に基づいて、データベースから、単位時間当たり流砂量を求める探索部３５を備える。【選択図】図１
2022001829.tif 000002
【特許請求の範囲】
【請求項１】
河川に流れる流砂との衝撃の大きさを表す検出信号を出力する加速度計と、
流砂の大きさの混合割合が異なる毎に、単位時間当たり加速度の積分値と、単位時間当たり流砂量とが関連付けされた組合せを、複数個有しているデータベースと、
前記検出信号の波形を絶対値化してその波形を結ぶ包絡線を算出し、前記包絡線と所定時間枠とで囲まれた領域の時間積分値を演算する第１演算部と、
前記時間積分値に基づいて単位時間当たりの加速度の積分値を演算する第２演算部と、
入力された流砂の大きさ混合割合及び前記単位時間当たりの加速度の積分値に基づいて、前記データベースから、単位時間当たり流砂量を求める探索部を有する流砂量計測器。
【請求項２】
前記流砂の大きさ及び流砂の大きさ混合割合を入力する入力部を備える請求項１に記載の流砂量計測器。
【請求項３】
河川に流れる流砂との衝撃の大きさを表す検出信号を出力する加速度計と、
流砂の大きさが異なる毎に、単位時間当たり加速度の積分値と単位時間当たり流砂量とが関連付けされた組合せを、複数個有しているデータベースと、
前記検出信号の波形を絶対値化してその波形を結ぶ包絡線を算出し、前記包絡線と所定時間枠とで囲まれた領域の時間積分値を演算する第１演算部と、
前記時間積分値に基づいて単位時間当たりの加速度の積分値を演算する第２演算部と、
入力された流砂の大きさ及び前記単位時間当たりの加速度の積分値に基づいて、前記データベースから、単位時間当たり流砂量を求める探索部を有する流砂量計測器。
【請求項４】
前記流砂の大きさを入力する入力部を備える請求項１に記載の流砂量計測器。
【請求項５】
前記加速度計は、密閉された管内に固定された加速度センサを含む請求項１乃至請求項４のうちいずれか１項に記載の流砂量計測器。
【請求項６】
請求項１乃至請求項５のうちいずれか１項に記載の流砂量計測器が、さらに、前記単位時間当たり流砂量と取水制限閾値を比較判定する判定部を含むとともに、前記判定部の判定結果に応じてゲート駆動部を制御して取水口ゲートを開閉駆動する水力発電所の取水制御装置として構成されていて、
前記判定部は、前記単位時間当たり流砂量が、取水制限閾値を越えている場合は、取水口ゲートを閉じる取水制限信号を前記ゲート駆動部に出力する水力発電所の取水制御装置。
【請求項７】
請求項１乃至請求項５のうちいずれか１項に記載の流砂量計測器が、さらに、前記単位時間当たり流砂量と取水許容閾値とを比較判定する判定部を含むとともに、前記判定部の判定結果に応じてゲート駆動部を制御して取水口ゲートを開閉駆動する水力発電所の取水制御装置として構成されていて、
前記判定部は、前記単位時間当たり流砂量が、取水許容閾値未満となった場合は、取水口ゲートを開ける取水許容信号を前記ゲート駆動部に出力する水力発電所の取水制御装置。
【請求項８】
請求項１乃至請求項５のうちいずれか１項に記載の流砂量計測器が、さらに、前記単位時間当たり流砂量と取水制限閾値及び取水許容閾値を比較判定する判定部とを含むとともに、前記判定部の判定結果に応じてゲート駆動部を制御して取水口ゲートを開閉駆動する水力発電所の取水制御装置として構成されていて、
前記判定部は、前記単位時間当たり流砂量が、取水制限閾値を越えている場合は、取水口ゲートを閉じる取水制限信号を前記ゲート駆動部に出力し、前記単位時間当たり流砂量が、前記取水許容閾値未満となった場合は、取水口ゲートを開ける取水許容信号を前記ゲート駆動部に出力する水力発電所の取水制御装置。
【発明の詳細な説明】
【技術分野】
【０００１】
本発明は、流砂量計測器及び水力発電所の取水制御装置に関する。
【背景技術】
【０００２】
流込み式水力発電所では、河川の水が取水口制水門を介して沈砂池などを経て水圧鉄管に送られる。そして、水圧鉄管の中を落下した水は水車を回転させて発電機を駆動する。
河川中には、流砂が混じっており、この流砂が大量に取水口から流込み式水力発電所内に侵入すると、発電所の設備が損傷する虞がある。そこで、例えば、河川水位を計測して、その計測値が閾値以上の場合には、所定の流砂量があるものと推定し、前記取水口制水門を閉じて発電を停止するようにしている。
【０００３】
なお、特許文献１では、河川に圧電センサを配置して、この圧電センサが検出した出力信号に基づいて、河川の掃流砂の粒径を求める粒径判別装置が提案されている。この装置により、河川に流れる掃流砂の粒径及び所定時間に流れる掃流砂の分布の計測を可能としている。
【０００４】
また、特許文献２では、河川に加速度計を配置して、流砂が衝突したときの加速度計が検出した信号に基づいて、流砂の粒度（質量）の推測を行う粒径分布推定装置が提案されている。
【０００５】
特許文献３では、河川にＦＢＧ（ファイバーブラッググレーティング）センサを配置し、前記センサが出力したブラッグ波長の光信号に基づいて、土粒子の衝突によって生じるひずみ量をＦＢＧアナライザが検出し、前記ひずみ量に基づいて土粒子管理・監視装置が土粒子の粒径及び流砂量を決定するようにしている。
【０００６】
特許文献４では、河川に濁度計を配置し、取水口制水門が開放状態の場合に、濁度が濁度上限値以上になった場合、取水口制水門を閉鎖し、取水口制水門が閉鎖の場合に濁度が濁度下限値以下になった場合、取水口制水門を開放する流込み式水力発電所の取水制御装置で提案されている。
【先行技術文献】
【特許文献】
【０００７】
【特許文献１】特開２０１８−１１９７９２号公報
【特許文献２】特許第４５１４７３０号公報
【特許文献３】特開２０１０−２７６３４３号公報
【特許文献４】特開２００６−３７３５４号公報
【発明の概要】
【発明が解決しようとする課題】
【０００８】
多くの流込み式水力発電所では、河川の水位を計測するダム水位計の水位や、特許文献４に開示されている濁度の値に基づいて発電の停止を行うようにしている。
しかし、例えば、河川の水位を基準にした場合、河川に流れる流砂量自体が不明のため、実際には、発電を停止しなくてもよい流砂の状態にあるにもかかわらず、河川の水位が停止すべき範囲内であるために、発電所を停止することがある。また、発電所を停止しなければならない流砂の状態であるにもかかわらず、河川の水位が再発電すべき範囲であるために、再発電してしまったという問題がある。ここで、流砂量が分かれば、発電停止・発電再開の時期の精度の向上が期待できる。
【０００９】
特許文献１、及び特許文献２は、掃流砂または流砂の粒径及びその分布等を計測するものであり、流砂量を測定することは目的としておらず、また、流砂量の計測については開示されていない。
【００１０】
特許文献３の土粒子管理・監視装置においては、河川の流量、幅、勾配、及び粗度係数を含む基本流速の情報を予め設定するとともに、基本流速に従うＦＢＧセンサに対する衝突角度、衝突位置、衝突速度の確率情報、及びＳａｌｕｔｉｏｎ運動理論情報を記憶部に格納することにしている。このことから、特許文献３では、河川毎にその河川の流量、幅、勾配、及び粗度係数を含む基本流速の情報を設定して入力する必要があり、汎用性に欠ける。
【００１１】
本発明の目的は、上記課題を解決して、汎用性があって、いずれの河川においても、流砂量の検出を可能とした流砂量計測器及び水力発電所の取水制御装置を提供することにある。
【課題を解決するための手段】
【００１２】
上記問題点を解決するために、本発明の流砂量計測器は、河川に流れる流砂との衝撃の大きさを表す検出信号を出力する加速度計と、流砂の大きさの混合割合が異なる毎に、単位時間当たり加速度の積分値と、単位時間当たり流砂量とが関連付けされた組合せを、複数個有しているデータベースと、前記検出信号の波形を絶対値化してその波形を結ぶ包絡線を算出し、前記包絡線と所定時間枠とで囲まれた領域の時間積分値を演算する第１演算部と、前記時間積分値に基づいて単位時間当たりの加速度の積分値を演算する第２演算部と、入力された流砂の大きさ混合割合及び前記単位時間当たりの加速度の積分値に基づいて、前記データベースから、単位時間当たり流砂量を求める探索部を有するものである。
【００１３】
また、前記流砂の直径及び流砂の大きさの割合を入力する入力部を備えることが望ましい。
また、本発明の流砂量計測器は、河川に流れる流砂との衝撃の大きさを表す検出信号を出力する加速度計と、流砂の大きさが異なる毎に、単位時間当たり加速度の積分値と単位時間当たり流砂量とが関連付けされた組合せを、複数個有しているデータベースと、前記検出信号の波形を絶対値化してその波形を結ぶ包絡線を算出し、前記包絡線と所定時間枠とで囲まれた領域の時間積分値を演算する第１演算部と、前記時間積分値に基づいて単位時間当たりの加速度の積分値を演算する第２演算部と、入力された流砂の大きさ及び前記単位時間当たりの加速度の積分値に基づいて、前記データベースから、単位時間当たり流砂量を求める探索部を有するものである。
【００１４】
また、前記流砂の大きさを入力する入力部を備えることが好ましい。
また、前記加速度計は、密閉された管内に固定された加速度センサを含んでいてもよい。
【００１５】
また、本発明は、上記の流砂量計測器が、さらに、前記単位時間当たり流砂量と取水制限閾値を比較判定する判定部を含むとともに、前記判定部の判定結果に応じてゲート駆動部を制御して取水口ゲートを開閉駆動する水力発電所の取水制御装置として構成されていて、前記判定部は、前記単位時間当たり流砂量が、取水制限閾値を越えている場合は、取水口ゲートを閉じる取水制限信号を前記ゲート駆動部に出力するものである。
【００１６】
また、本発明は、上記の流砂量計測器が、さらに、前記単位時間当たり流砂量と取水許容閾値とを比較判定する判定部とを含むとともに、前記判定部の判定結果に応じてゲート駆動部を制御して取水口ゲートを開閉駆動する水力発電所の取水制御装置として構成されていて、前記判定部は、前記単位時間当たり流砂量が、取水許容閾値未満となった場合は、取水口ゲートを開ける取水許容信号を前記ゲート駆動部に出力するものである。
【００１７】
また、本発明は、上記の流砂量計測器が、さらに、前記単位時間当たり流砂量と取水制限閾値及び取水許容閾値を比較判定する判定部とを含むとともに、前記判定部の判定結果に応じてゲート駆動部を制御して取水口ゲートを開閉駆動する水力発電所の取水制御装置として構成されていて、前記判定部は、前記単位時間当たり流砂量が、取水制限閾値を越えている場合は、取水口ゲートを閉じる取水制限信号を前記ゲート駆動部に出力し、前記単位時間当たり流砂量が、前記取水許容閾値未満となった場合は、取水口ゲートを開ける取水許容信号を前記ゲート駆動部に出力するものである。
【発明の効果】
【００１８】
本発明によれば、汎用性があって、いずれの河川においても、流砂量の検出ができる。
【図面の簡単な説明】
【００１９】
【図１】第１実施形態の流砂量計測器の電気ブロック図。
【図２】試験装置の略体説明図。
【図３】流砂をマイクロフォンで計測した出力値の波形図。
【図４】流砂を加速度計で計測した出力値の波形図。
【図５】（ａ）は流砂量の時間変化を示すグラフ、（ｂ）は前記流砂量に対する加速度計の出力波形のグラフ。
【図６】（ａ）は図４における流砂量の説明図、（ｂ）は図４の流砂量に対応する加速度の積分値の説明図。
【図７】（ａ）は径４ｍｍのガラスビーズが当たったときの加速度計の出力信号の波形図、（ｂ）は径２ｍｍのガラスビーズが当たったときの加速度計の出力信号の波形図。
【図８】（ａ）は径１ｍｍのガラスビーズが当たったときの加速度計の出力信号の波形図、（ｂ）は径０．６ｍｍのガラスビーズが当たったときの加速度計の出力信号の波形図。
【図９】（ａ）は珪砂１号が当たったときの加速度計の出力信号の波形図、（ｂ）は珪砂３号が当たったときの加速度計の出力信号の波形図。
【図１０】珪砂５号が当たったときの加速度計の出力信号の波形図。
【図１１】単粒径を別々に投入した場合の単位時間当たりの加速度計の出力値の積分値と、単位時間当たり流砂量の関係を示す特性図。
【図１２】粒径が異なる珪砂を混合した場合の単位時間当たりの加速度計の出力値の積分値と、単位時間当たり流砂量の関係を示す特性図。
【図１３】データベースの説明図。
【図１４】流砂量演算装置が実行する計測プログラムのフローチャート。
【図１５】第２実施形態の流砂量計測器、及び取水制御装置の電気ブロック図。
【図１６】第２実施形態の水力発電所の取水制御装置において、取水口ゲートを開けた状態の略体説明図。
【図１７】第２実施形態の水力発電所の取水制御装置において、取水口ゲートを閉じた状態の略体説明図。
【図１８】取水制御装置が実行する判定プログラムのフローチャート。
【図１９】流込み式水力発電所での河川流量と発電使用水量の説明図。
【発明を実施するための形態】
【００２０】
以下、本発明を具体化した一実施形態の流砂量計測器１０を図１〜図１３を参照して説明する。
流砂量計測器１０は、加速度計２０及び流砂量演算装置３０とを備えている。加速度計２０は、加速度センサ２２が、収納ケース２４内に収納されている。収納ケース２４の材質及び構造は、限定するものではないが、河川内に配置されるため、水密構造であるとともに、流砂が当たっても破損しないものが好ましい。例えば、収納ケース２４は、金属、合成樹脂等の材質が好ましい。本実施形態では、収納ケース２４は、円形等の管材からなり、両端が蓋２６により水密状に閉塞されている。加速度センサ２２は、収納ケース２４の内面に対して一体に固定されていて、収納ケース２４に、流砂が当たったときの衝撃が、加速度センサ２２に伝達可能としている。加速度センサ２２の出力信号は、信号線２８を介して、流砂量演算装置３０に電気的に接続されている。
【００２１】
流砂量演算装置３０は、ＣＰＵ(中央処理装置)３１、ＲＡＭ、ＲＯＭ（ともに図示しない）及び記憶装置３２などを有するコンピュータからなり、予めＲＯＭや記憶装置３２に記憶させておいた計測プログラムをＲＡＭに読み込んで実行することで後述する各部の機能が実現される。すなわち、流砂量演算装置３０は、前記計測プログラムに基づいて、第１演算部３３、第２演算部３４、及び探索部３５の機能を実現する。また、記憶装置３２には、データベースが記憶されている。
【００２２】
流砂量演算装置３０には、入力部３７が接続されている。入力部３７は、キーボード、マウス等からなる。入力部３７により流砂の大きさが異なる毎にその混合割合を流砂量演算装置３０に入力可能としている。
【００２３】
＜データベースについて＞
データベースについて説明する。データベースは、粒径の大きさが異なる流砂の混合割合毎に、単位時間当たりの加速度計２０の出力信号の積分値（すなわち、単位時間当たりの加速度の積分値）と、単位時間当たりの加速度計２０を通過した流砂量とが対応付けられている。そして、粒径の大きさが異なる流砂の混合割合及び単位時間当たりの加速度の積分値に基づいて当該加速度の積分値に対応する単位時間当たりの加速度計２０を通過した流砂量の探索を可能としている。データベースについては、図１３を参照して、さらに詳述する。
【００２４】
＜試験について＞
この両者の積分値には、固有の関係があることを説明する。
図２は、試験装置が示されている。試験装置は、流砂量の時間変化と、加速度計２０の出力信号の時間変化との関係を得るためのものである。
【００２５】
図２に示すように試験装置は、砂Ｓを貯留するホッパ１１０、ホッパ１１０から投入された砂Ｓと給水された水Ｗとを溜める貯留水槽１１２、貯留水槽１１２の下部に一体に連結されるとともに、加速度計２０を水Ｗの流れと直交する方向に配置した流路管１１４、及び流路管１１４の下部に一体に連結された砂回収水槽１１６を備えている。貯留水槽１１２からは、水Ｗ及び砂Ｓが自身の重量で流路管１１４内を流れるようにされている。加速度計２０は、流路管１１４を流れる砂Ｓ（すなわち、流砂）が当たると、当たったときの衝撃を検出した検出信号を、図１に示す流砂量演算装置３０に出力するようにされている。なお、説明の便宜上、検出信号を出力信号ということがある。
【００２６】
砂回収水槽１１６に貯留された水Ｗは、砂回収水槽１１６の下方に設けられた地下水槽１１８に流れるようにされている。また、地下水槽１１８内の水Ｗは、水中ポンプ１２０により高架水槽１２２に揚水された後、流量コントロールバルブ１２４を備えた給水管１２６を介して貯留水槽１１２に戻る。高架水槽１２２の水位は、貯留水槽１１２の水位よりも常に高くされるように水中ポンプ１２０が駆動されることにより制御される。
【００２７】
図３は、比較例となる図示しないマイクロフォン（水中マイク）を同じ試験装置の流路管１１４に配置して、試験した場合のマイクロフォンの出力信号を示している。詳しくは、図３は、径４ｍｍ、１ｋｇの砂Ｓと、４０Ｌ／ｓの流水を投入した場合に、流砂がマイクロフォンに当たったときのマイクロフォンの出力信号である。
【００２８】
マイクロフォンは、加速度計２０の収納ケース２４と同じ大きさの管材で覆って配置した。図３に示すように、流砂が当たっていない時間帯Ｔ１と、流砂が当たっている時間帯Ｔ２とでは、出力信号の振幅は、流砂が当たっている時間帯Ｔ２の方が大きくなる。
【００２９】
一方、図４は、図２に示すように、加速度計２０を流路管１１４に配置し、径２ｍｍ、１ｋｇの砂Ｓと、４０Ｌ／ｓの流水を投入した場合に、流砂が加速度計２０に当たったときの加速度計２０の出力信号を表している。
【００３０】
図４に示すように流砂が当たっていない時間帯Ｔ１と、流砂が当たっている時間帯Ｔ２とでは、出力信号の振幅は、流砂が当たっている時間帯Ｔ２の方が大きくなるが、特徴的なのは、加速度計２０の方が図３のマイクロフォンの場合に比して、流砂が当たっていない場合の信号の振幅は、極端に小さい。そして、流砂が当たっている時間帯Ｔ２において、その末期には、流砂の当たる頻度が少なくなるとその振幅の収束状況を明確に把握することが可能となる。これに対して、図３のマイクロフォンの場合は、流砂が当たっている時間帯Ｔ２において、その末期には、流砂の当たる頻度が少なくなると、振幅が小さくなりノイズに邪魔されて、その流砂の検出が難しいものとなっている。図４において、矢印は当たっている時間帯後の出力信号の振幅の収束を示している。
【００３１】
＜流砂量と加速度計の出力信号との関係＞
図５（ａ）は、前記試験装置において、加速度計２０が配置された検出箇所を通過した流砂量の時間変化を表している。また、図５（ｂ）は、図５（ａ）で測定したときの流砂量に対する加速度計の出力波形のグラフを示している。
【００３２】
図６（ａ）は、図５（ａ）と同じ加速度計２０の出力信号において、Δｔの期間中のハッチング領域の面積は、この期間中に通過した流砂量（ｇ）になる。この通過した流砂量（ｇ）をΔｔで除すると、単位時間当たり流砂量（ｍｇ／ｓ）が得られる。
【００３３】
一方、図６（ｂ）は、図５（ｂ）の出力信号をＡとしたとき、｜Ａ｜にして、すなわち、出力信号の０以下の負値を正値に反転した波形とし、その波形のピーク値を包絡線Ｈで結んだものである。
【００３４】
Δｔの期間中において、包絡線Ｈを上限とするハッチング領域の面積は、この期間中における加速度の時間積分値になる。この加速度の時間積分値をΔｔで除すると、単位時間当たりの加速度の積分値になる。
【００３５】
この単位時間当たり流砂量（ｍｇ／ｓ）と単位時間当たりの加速度の積分値とを関連付けすることにより、データベースが得られることになる。
＜試験データについて＞
試験データの例について説明する。
【００３６】
前記試験装置を使用して、径が異なるガラスビーズ、及び大きさが異なる珪砂を流砂として、水Ｗとともに流した場合の加速度計２０の出力信号の例が、図７（ａ）、図７（ｂ）、図８（ａ）、図８（ｂ）、図９（ａ）、図９（ｂ）、図１０に示されている。
【００３７】
図７（ａ）は、径が４ｍｍ、２ｋｇのガラスビーズを６０Ｌ／ｓの流量で通水した際、ガラスビーズが加速度計２０に当たったときの加速度計２０の出力信号の波形図である。図７（ｂ）は、径が２ｍｍ、２ｋｇのガラスビーズを６０Ｌ／ｓの流量で通水した際、ガラスビーズが加速度計２０に当たったときの加速度計２０の出力信号の波形図である。図８（ａ）は、径が１ｍｍ、２ｋｇのガラスビーズを６０Ｌ／ｓの流量で通水した際、ガラスビーズが加速度計２０に当たったときの加速度計２０の出力信号の波形図である。図８（ｂ）は、径が０．６ｍｍ、２ｋｇのガラスビーズを６０Ｌ／ｓの流量で通水した際、ガラスビーズが加速度計２０に当たったときの加速度計２０の出力信号の波形図である。
【００３８】
図９（ａ）は、４．３ｍｍ程度の大きさのものを主に有している珪砂１号の２ｋｇを４０Ｌ／ｓの流量で通水した際、ガラスビーズが加速度計２０に当たったときの加速度計２０の出力信号の波形図である。図９（ｂ）は、１．６ｍｍ程度の大きさのものを主に有している珪砂３号の２ｋｇを４０Ｌ／ｓの流量で通水した際、ガラスビーズが加速度計２０に当たったときの加速度計２０の出力信号の波形図である。
【００３９】
図１０は、０．５ｍｍ程度の大きさのものを主に有している珪砂５号の２ｋｇを４０Ｌ／ｓの流量で通水した際、ガラスビーズが加速度計２０に当たったときの加速度計２０の出力信号の波形図である。
【００４０】
さらに、前記径の異なるガラスビーズ及び前記各号の珪砂について、水の流量を複数回変更した上で、前記径の異なるガラスビーズ及び前記各号の珪砂が加速度計２０に当たったときの加速度計の出力信号（出力値）を得る。
【００４１】
上記のように取得した、前記径の異なるガラスビーズ及び前記各号の珪砂に係る出力信号（出力値）Ａを｜Ａ｜にして、その波形のピーク値を包絡線Ｈで結び、加速度が検出された検出開始時から検出終了時までの時間中における包絡線で囲まれる領域の加速度の時間積分値を算出する。そして、この加速度の時間積分値を加速度が検出された検出開始時から検出終了時までの時間で除して、単位時間当たりの加速度の積分値を求める。
【００４２】
一方で、加速度計２０の各計測と合わせて前記ガラスビーズ及び珪砂の流砂量を計測する。この流砂量の計測方法は、例えば、ガラスビーズ及び珪砂が当たった検出開始時刻から検出が不能となった検出終了時刻までの期間に投入したガラスビーズ及び珪砂の量に基づいて算出するが、この方法に限定するものではない。
【００４３】
この期間中に通過した流砂量を検出開始時刻から検出が不能となった検出終了時刻までの期間で除すると、単位時間当たり流砂量（ｍｇ／ｓ）を得る。
図１１は、上記のようにして得られた単位時間当たりの加速度の積分値を縦軸にし、単位時間当たり流砂量を横軸にして、上記試験で得られたデータをプロットしたものである。
【００４４】
図１１に示すように、ガラスビーズ４ｍｍ及び珪砂１号（大きさ４．３ｍｍ）での試験データがプロットされた群は、１つのグループにまとめることができ、図１１では、「４ｍｍのグループ」としている。また、ガラスビーズ２ｍｍ及び珪砂３号（大きさ１．６ｍｍ）の試験データがプロットされた群は、１つのグループにまとめることができ、図１１では、「２ｍｍのグループ」としている。また、ガラスビーズ１ｍｍの試験データがプロットされた群は、「１ｍｍのグループ」としてまとめることができる。また、ガラスビーズ０．６ｍｍ及び珪砂５号（大きさ０．５ｍｍ）の試験データがプロットされた群は、１つのグループにまとめることができ、図１１では、「０．６ｍｍのグループ」としている。
【００４５】
図１１に示すように、これらのグループは、単位時間当たりの加速度の積分値が大きくなるほど、単位時間当たり流砂量が大きくなり、流砂の径等の大きさ毎に、回帰曲線（流砂量曲線）をモデル化することが可能となっている。
【００４６】
また、珪砂１号、３号の単独、または珪砂１号、３号、５号を異なる混合割合で混合して、前記試験装置でデータを取得し、これらのデータに基づいて、上記と同様に単位時間当たりの加速度の積分値、及び、単位時間当たり流砂量を算出した。図１２は、得られた単位時間当たりの加速度の積分値を縦軸にし、単位時間当たり流砂量を横軸にして、各データをプロットしたものである。
【００４７】
図１２でプロットした試験は、「珪砂１号のみ」、「珪砂３号のみ」、「珪砂１号と３号を３:１で混合」、「珪砂１号と３号を１:１で混合」、及び「珪砂１号と３号を１:３で混合」を含む。また、図１２でプロットした試験は、「珪砂１号、３号、５号を１:１:１で混合」、「珪砂１号、３号、５号を１:１:３で混合」、「珪砂３号と５号を１:１で混合」、及び「珪砂３号と５号を１:３で混合」を含む。
【００４８】
図１２のプロットした試験結果では、グループＧａ、Ｇｂに区別できる。
グループＧａは、「珪砂１号のみ」、「珪砂１号と３号を３:１で混合」、「珪砂１号と３号を１:１で混合」、「珪砂１号と３号を１:３で混合」、「珪砂１号、３号、５号を１:１:１で混合」、及び「珪砂１号、３号、５号を１:１:３で混合」の珪砂１号が含まれたグループである。
【００４９】
グループＧｂは、「珪砂３号のみ」、「珪砂３号と５号を１:１で混合」、及び「珪砂３号と５号を１:３で混合」の珪砂１号が混合されず、珪砂３号が含まれるグルーブである。
【００５０】
図１２に示すように、グループＧａ、Ｇｂのそれぞれは、単位時間当たりの加速度の積分値が大きくなるほど、単位時間当たり流砂量が大きくなり、流砂の径等の大きさ毎に、回帰曲線（流砂量曲線）をモデル化することが可能となっている。
【００５１】
また、このように大きさが異なる珪砂が混合された場合、単位時間当たり流砂量は、混合されたものの中で最も大きな珪砂の影響を受けることを読み取ることができる。
上記の試験結果に基づいて、本実施形態のデータベースでは、流砂の大きさ順に複数段階にレベル化されている。レベルの幅は、限定するものではないが、例えば、１〜１０ｍｍの間の任意の数値毎にレベル化してもよい。流砂の大きさは、たとえば、粒径であるが、粉末や顆粒の大きさを測る値であるメッシュ値等の値であってもよい。
【００５２】
例えば、レベルの幅を、１ｍｍ毎に４段階にレベル化している場合、ａ１＜ａ２＜ａ３＜ａ４とする。ａ１≦１ｍｍ以下とした場合、１ｍｍ＜ａ２≦２ｍｍ、２ｍｍ＜ａ３≦３ｍｍ、３ｍｍ≦ａ４とする。
【００５３】
図１３に示す例では、レベルａ１〜ａ４における割合をそれぞれｂ１、ｂ２、ｂ３、ｂ４（％）で表し、それぞれ１０％単位でその割合が設定されている。
同図では、ｂ４が７０％、ｂ３が２０％、ｂ２が１０％、ｂ１が０％のときにおける、単位時間当たり加速度の積分値（縦軸）と単位時間当たり流砂量（横軸）のテーブルが示されている。このようにして、データベースは、流砂の大きさの混合割合が異なる毎に、単位時間当たり加速度の積分値と、単位時間当たり流砂量とが関連付けされた組合せを複数個有している。
【００５４】
（実施形態の作用）
次に、加速度計２０が河床等の河川内に配置された流砂量計測器１０の作用を説明する。図１４は、流砂量演算装置３０のＣＰＵ３１が、計測プログラムに従って実行されるフローチャートである。
【００５５】
Ｓ２０では、ＣＰＵ３１（第１演算部３３）は、加速度計２０から所定時間毎に入力された所定時間毎の出力信号Ａを｜Ａ｜にして、その波形のピーク値を結ぶ包絡線を算出する。なお、前記包絡線の算出方法は、限定するものではなく、周知の技術を用いればよい。例えば、包絡線を二乗平均（ＲＭＳ）、ヒルベルト包絡等により算出してもよい。本実施形態では、ピーク包絡線を算出するようにしている。
【００５６】
続いて、ＣＰＵ３１（第１演算部３３）は、算出した包絡線と、所定時間枠とで囲まれた領域の加速度の時間積分値を演算する（図６（ｂ）参照）。
Ｓ３０では、ＣＰＵ３１（第２演算部３４）は、前記加速度の時間積分値に基づいて前記所定時間枠で除して単位時間当たり加速度の積分値を演算する。
【００５７】
Ｓ４０では、ＣＰＵ３１（探索部３５）は、入力部３７から入力された河川の流砂の大きさの混合割合と、前記単位時間当たり加速度の積分値に基づいて、データベースから、単位時間当たり流砂量を探索し、探索結果である流砂量を前記検出信号に基づいて出力する前記流砂量として図示しないディスプレイ、或いはプリンタ等に出力する。
【００５８】
なお、入力部３７から入力する河川の流砂の大きさの混合割合は、河川内に配置された加速度計２０の近傍に配置した河川水を、加速度計２０が検出している時間と同じ時間枠で、取水して、得られた流砂に基づいてその混合割合を、掃流砂または流砂の粒径及びその分布等を計測する公知の分布計等で計測したものである。入力部３７では、例えば、前記レベルａ１〜ａ４の場合、その割合がそれぞれｂ１、ｂ２、ｂ３、ｂ４で入力される。
【００５９】
本実施形態では、下記の特徴を有する。
（１）本実施形態の流砂量計測器１０は、河川に流れる流砂との衝撃の大きさを表す検出信号を出力する加速度計２０を備えている。また、流砂量計測器１０は、流砂の大きさの混合割合が異なる毎に、単位時間当たり加速度の積分値と、単位時間当たり流砂量とが関連付けされた組合せを、複数個有しているデータベースを有している。
【００６０】
また、流砂量計測器１０は、検出信号を絶対値化した波形を結ぶ包絡線と、所定時間枠とで囲まれた領域の時間積分値を演算する第１演算部３３と、時間積分値に基づいて単位時間当たりの加速度の積分値を演算する第２演算部３４を備えている。また、流砂量計測器１０は、入力された流砂の大きさ混合割合及び単位時間当たりの加速度の積分値に基づいて、データベースから、単位時間当たり流砂量を求める探索部３５を備えている。
【００６１】
この結果、汎用性があって、いずれの河川においても、流砂量の検出ができる。
（２）本実施形態の流砂量計測器１０は、流砂の大きさ及び流砂の大きさ混合割合を入力する入力部３７を備える。上記構成により、データベースから求める単位時間当たり流砂量を求めることが可能となる。
【００６２】
（３）また、本実施形態では、加速度計２０は、密閉された管内に固定された加速度センサ２２を含む。この結果、加速度センサ２２を、河川等の水内に支障なく配置することが可能となる。
【００６３】
（第２実施形態）
次に、流込み式水力発電所２４０の取水制御装置２００を図１５〜図１８を参照して説明する。
【００６４】
図１５に示すように、取水制御装置２００は、加速度計２０Ａ、２０Ｂが接続された判定装置４０にて構成されている。加速度計２０Ａ、２０Ｂを備える判定装置４０は、流砂量計量器に相当する。判定装置４０は、取水口ゲート６０を開閉駆動するゲート駆動部５０を制御する。
【００６５】
判定装置４０はＣＰＵ(中央処理装置)４１、ＲＡＭ、ＲＯＭ（ともに図示しない）及び記憶装置４２などを有するコンピュータからなり、予めＲＯＭや記憶装置４２に記憶させておいた判定プログラムをＲＡＭに読み込んで実行することで後述する各部の機能が実現される。すなわち、判定装置４０は、前記判定プログラムに基づいて、第１演算部４３、第２演算部４４、探索部４５及び判定部４６の機能を実現する。
【００６６】
また、記憶装置４２には、データベースが記憶されている。第１演算部４３、第２演算部４４、探索部４５及び前記データベースは、第１実施形態の第１演算部３３、第２演算部３４、探索部３５及びデータベースと同様に構成され、または機能する。また、判定装置４０には、入力部としてのインターフェィス４７が設けられている。
【００６７】
加速度計２０Ａ、２０Ｂは、第１実施形態の加速度計２０と同様に構成されている。
なお、流込み式水力発電所２４０では、河川２０５からの水は、図１６に示すように、取水口ゲート６０が開けられているときは取水口２０６を介して沈砂池２１０に流れ込む。図示はしないが、沈砂池２１０は、取水口２０６よりも幅が拡げられているため、流速が落ちて、水とともに流れる砂が底に沈殿する。次に、水は、導水路２１２から水槽２２０に送られる。水槽２２０は発電に先立ち一時的に水を貯えるためのもので、ここでも流速が低下するため残存した砂が沈殿する。水槽２２０に貯えられた水は、斜面に設置された水圧鉄管２３０の中を落下して流込み式水力発電所２４０の図示しない水車を回し、図示しない放水路から河川に戻される。また、前記水車は図示しない発電機を駆動して電力を発生する。
【００６８】
図１６に示すように、加速度計２０Ａは、河川２０５において、取水口２０６近傍に流れる流砂量の検出のために、取水口２０６の取水口ゲート６０よりも河川側に配置されている。加速度計２０Ｂは、取水口ゲート６０から流れる流砂量を検出するために、取水口２０６において取水口ゲート６０よりも沈砂池２１０側に配置されている。
【００６９】
図１５に示すように判定装置４０には、インターフェィス４７を介して、流砂分布計測装置７０Ａ、７０Ｂがそれぞれ電気的に接続されている。図１６に示すように流砂分布計測装置７０Ａ，７０Ｂには、検出器８０Ａ、８０Ｂが電気的に接続されている。インターフェィス４７は、入力部に相当する。
【００７０】
検出器８０Ａ、８０Ｂは、例えば、耐水型圧電センサであって、流砂が当たったときの、音響情報を解析する流砂分布計測装置７０Ａ、７０Ｂにそれぞれ電気的に接続されている。検出器８０Ａ、８０Ｂは、加速度計２０Ａ、２０Ｂの近傍にそれぞれ配置されている。流砂分布計測装置７０Ａ、７０Ｂは、これらの音響情報を解析することにより、すなわち、土石粒子の流送に対応する固有の周波数帯域域の信号のみをフィルタにより通過させる。そして、流砂分布計測装置７０Ａ、７０Ｂは、通過してきた特定の音響情報の数を信号強度毎に計数するマルチチャンネルカウンタ部等を備えていることにより、流砂の粒径の分布、すなわち、流砂の大きさ混合割合（すなわち、粒径分布）の計測が可能となっている。なお、この方法は、例えば、実開平０５−５２９７２号公報で公知のため、詳細な説明は省略する。なお、粒径の分布を測定する装置は、この方法に限定するものではなく、他の公知装置で行ってもよい。
【００７１】
なお、本実施形態の取水制御装置２００の構成中、加速度計２０Ａ、２０Ｂ、判定装置４０の記憶装置４２、第１演算部４３、第２演算部４４、探索部４５及びインターフェィス４７は、流砂量計測器を構成する。
【００７２】
（第２実施形態の作用）
次に、取水制御装置２００の作用を図１８のフローチャートを参照して説明する。
図１８のフローチャートは、判定装置４０のＣＰＵ４１により、判定プログラムに従って、所定周期で実行される。
【００７３】
（Ｓ１１０）
Ｓ１１０では、ＣＰＵ４１は、取水口ゲート状態を示すフラグを設定する。すなわち、取水口ゲート６０が開位置に位置するとオン信号を判定装置４０に出力る開位置リミットスイッチ（図示しない）と、取水口ゲート６０が閉位置に位置するとオン信号を判定装置４０に出力する閉位置リミットスイッチ（図示しない）が設けられている。
【００７４】
判定装置４０のＣＰＵ４１は、開位置リミッスイッチからのオン信号を入力すると、状態識別フラグＦを「１」に設定し、閉位置リミットスイッチからのオン信号を入力すると、状態識別フラグＦを「０」に設定する。
【００７５】
（Ｓ１２０〜Ｓ１４０）
次のＳ１２０〜Ｓ１４０の処理は、状態識別フラグＦが「０」の場合と「１」の場合とでは、単位時間当たり流砂量Ｒを算出する場合のデータの取得先が異なるため、場合を分けて説明する。
【００７６】
＜１．状態識別フラグＦが「０」の場合＞
Ｓ１２０では、ＣＰＵ４１（第１演算部４３）は、加速度計２０Ａから所定時間毎に入力された所定時間毎の出力信号Ａを｜Ａ｜にして、その波形のピーク値を結ぶ包絡線を算出する。なお、前記包絡線の算出方法は、第１実施形態と同様である。続いて、ＣＰＵ４１（第１演算部４３）は、算出した包絡線と、所定時間枠とで囲まれた領域の加速度の時間積分値を演算する。
【００７７】
Ｓ１３０では、ＣＰＵ４１（第２演算部４４）は、前記加速度の時間積分値に基づいて前記所定時間枠で除して単位時間当たり加速度の積分値を演算する。
Ｓ１４０では、ＣＰＵ４１（探索部４５）は、インターフェィス４７を介して流砂分布計測装置７０Ａから入力された河川２０５の流砂の大きさの混合割合と、前記単位時間当たり加速度の積分値に基づいて、データベースから、単位時間当たり流砂量Ｒを探索して取得する。流砂分布計測装置７０Ａから入力された河川２０５の流砂の大きさの混合割合は、加速度計２０Ａから所定時間毎に入力された所定時間毎の出力信号Ａと同じ時刻で取得されたものである。
【００７８】
ここで、流砂分布計測装置７０Ａから河川２０５の流砂の大きさの混合割合を取得する理由は、現状の河川２０５での単位時間当たりの流砂量Ｒの流砂に流込み式水力発電所２４０の設備が損傷することがない粒径が含まれているか否かを知るためである。すなわち、現状の河川２０５での流砂の流砂分布（粒径分布）及び流砂量を精度よく把握し、水車ランナや水圧鉄管２３０の摩耗等、流込み式水力発電所２４０の設備に悪影響を与える流砂分布（粒径分布）及び流砂量であるか否かを知り、発電を再開してよいかを判断するためである。
【００７９】
＜２．状態識別フラグＦが「１」の場合＞
Ｓ１２０では、ＣＰＵ４１（第１演算部４３）は、加速度計２０Ｂから所定時間毎に入力された所定時間毎の出力信号Ａを｜Ａ｜にして、その波形のピーク値を結ぶ包絡線を算出する。なお、前記包絡線の算出方法は、第１実施形態と同様である。続いて、ＣＰＵ４１（第１演算部４３）は、算出した包絡線と、所定時間枠とで囲まれた領域の加速度の時間積分値を演算する。
【００８０】
Ｓ１３０では、ＣＰＵ４１（第２演算部４４）は、前記加速度の時間積分値に基づいて前記所定時間枠で除して単位時間当たり加速度の積分値を演算する。
Ｓ１４０では、ＣＰＵ４１（探索部４５）は、インターフェィス４７を介して流砂分布計測装置７０Ｂから入力された取水口ゲート６０よりも取水口２０６下流における流砂の大きさの混合割合と、前記単位時間当たり加速度の積分値に基づいて、データベースから、単位時間当たり流砂量Ｒを探索して取得する。流砂分布計測装置７０Ｂから入力された取水口２０６を通過する流砂の大きさの混合割合は、加速度計２０Ｂから所定時間毎に入力された所定時間毎の出力信号Ａと同じ時刻で取得されたものである。
【００８１】
ここで、流砂分布計測装置７０Ｂから取水口ゲート６０よりも取水口２０６下流における流砂の大きさの混合割合を取得する理由は、下記のとおりである。すなわち、取水口ゲート６０よりも取水口２０６を通過する流砂分布（粒径分布）及び流砂量を精度よく把握し、水車ランナや水圧鉄管２３０の摩耗等、流込み式水力発電所２４０の設備に悪影響を与える流砂分布（粒径分布）及び流砂量であるか否かを知り、発電を停止するべきか否かを判断するためである。
【００８２】
（Ｓ１５０）
Ｓ１５０では、ＣＰＵ４１は、状態識別フラグＦが「０」か、否かを判定する。そして、ＣＰＵ４１は、状態識別フラグＦが「０」の場合は、Ｓ１６０に移行し、状態識別フラグＦが「１」の場合は、Ｓ１９０に移行する。
【００８３】
（Ｓ１６０）
Ｓ１６０では、ＣＰＵ４１（判定部４６）は、単位時間当たりの流砂量Ｒが取水許容閾値ＲＯ未満か否かを判定する。ＣＰＵ４１は、単位時間当たりの流砂量Ｒが取水許容閾値ＲＯ未満である場合には、Ｓ１７０に移行し、単位時間当たりの流砂量Ｒが取水許容閾値ＲＯ以上である場合には、Ｓ１１０にリターンして、取水口ゲート６０の閉状態を保持する。
【００８４】
（Ｓ１７０）
Ｓ１７０では、ＣＰＵ４１（判定部４６）は、取水口ゲート６０を開ける取水許容信号をゲート駆動部５０に出力する。ゲート駆動部５０は、取水許容信号に応じて、取水口ゲート６０を開ける。
【００８５】
（Ｓ１８０）
Ｓ１８０では、ＣＰＵ４１は、状態識別フラグＦを「１」にセットして、Ｓ１１０にリターンする。
【００８６】
（Ｓ１９０）
Ｓ１９０では、ＣＰＵ４１（判定部４６）は、単位時間当たりの流砂量Ｒが取水制限閾値ＲＣを越えているか否かを判定する。なお、本実施形態では、取水許容閾値ＲＯ＜取水制限閾値ＲＣとしている。ＣＰＵ４１は、単位時間当たりの流砂量Ｒが取水制限閾値ＲＣを越えている場合には、Ｓ２００に移行し、単位時間当たりの流砂量Ｒが取水制限閾値ＲＣ以下である場合には、Ｓ１１０にリターンして、取水口ゲート６０の開状態を保持する。
【００８７】
なお、本実施形態では、取水許容閾値ＲＯと取水制限閾値ＲＣの大小関係は、取水許容閾値ＲＯ＜取水制限閾値ＲＣに限定するものではなく、同一の値でもよく、或いは取水許容閾値ＲＯ＞取水制限閾値ＲＣとしてもよい。
【００８８】
（Ｓ２００）
ＣＰＵ４１（判定部４６）は、単位時間当たりの流砂量Ｒが取水制限閾値ＲＣを越えている場合、取水口ゲート６０を閉じる取水制限信号をゲート駆動部５０に出力する。ゲート駆動部５０は、取水制限信号に応じて、取水口ゲート６０を閉じる。
【００８９】
（Ｓ２１０）
Ｓ２１０では、ＣＰＵ４１は、状態識別フラグＦを「０」にリセットして、Ｓ１１０にリターンする。
【００９０】
本実施形態では、下記の特徴を有する。
（１）本実施形態の水力発電所の取水制御装置２００は、いずれの河川においても、流砂量の検出を可能とした流砂量計測器を含む。そして、取水制御装置２００の判定部４６は単位時間当たり流砂量Ｒが取水制限閾値ＲＣを越えている場合、取水口ゲート６０を閉じる取水制限信号をゲート駆動部５０に出力する。また、判定部４６は単位時間当たり流砂量Ｒが取水許容閾値ＲＯ未満となった場合は、取水口ゲート６０を開ける取水許容信号をゲート駆動部５０に出力する。
【００９１】
この結果、本実施形態では、汎用性があって、いずれの河川においても、流砂量の検出ができて、流込み水力発電所の取水口ゲートの開閉を行うことが可能となる。
図１９は、流込み式水力発電所２４０を有する河川の上流域で雨量が降った場合の、河川流量の変化の一例が示されている。
【００９２】
図１９において、最大取水量Ｒ１０は、流込み式水力発電所２４０が発電する際に許可されている最大の流量である。
経験的な判定流量Ｒ１１は、河川の水量が多くなりつつある場合、河川の水とともに流れてくる流砂（土砂）も多くなることを監視者が経験的に予想する量であり、これ以上を取水すると水力発電所の設備が損傷するものとして、取水口ゲート６０が閉じられる。経験的な判定流量Ｒ１１は、誤差もあるため、安全代分が見込まれている。
【００９３】
経験的な判定流量Ｒ１２は、河川の水量が少なくなりつつある場合、河川の水とともに流れてくる流砂（土砂）も少なくなることを監視者が経験的に予想する量であり、水力発電所の設備が損傷しないものとして取水口ゲート６０が開けられる。経験的な判定流量Ｒ１２は、誤差もあるため、安全代分が見込まれている。
【００９４】
この結果、従来は、経験的な判定流量Ｒ１１に基づいて取水口ゲート６０が閉じられる時刻ｔ１までの最大取水量Ｒ１０以下の河川水量の領域と、経験的な判定流量Ｒ１２に基づいて取水口ゲート６０が開けられる時刻ｔ２からの最大取水量Ｒ１０以下の河川水量が発電使用水量となる。上記の監視者が経験的に予想する量は、前述したように誤差も予想されることと、かつ、河川に流れる水の状況にも影響を受けるため、一定とはならず、変動する値である。
【００９５】
これに対して、判定河川流量Ｒ２１は、取水制限閾値ＲＣに基づいて算出される河川流量であって、単位時間当たり流砂量Ｒが取水制限閾値ＲＣを超えた場合に、取水口ゲート６０が閉じられるときの河川流量である。
【００９６】
すなわち、単位時間当たりの流砂量Ｒは、河川流量と関係することが多く、河川流量が多くなるほど、単位時間当たりの流砂量も増加する傾向にあるが、従来の河川流量から経験的に流砂量を推定するものでは安全代分が見込まれている。これに対して、本実施形態では、従来はｔ１で取水停止されていたものをｔ１１へ取水時間を延長することが可能となる。図１９は、このような事例の場合について図示している。
【００９７】
従って、図１９に示すように、判定河川流量Ｒ２１は、経験的な判定流量Ｒ１１よりも大きな値となる。
また、判定河川流量Ｒ２２は、取水許容閾値ＲＯに基づいて算出される河川流量であって、単位時間当たり流砂量Ｒが取水許容閾値ＲＯ未満となった場合に、取水口ゲート６０が開けられるときの河川流量である。
【００９８】
すなわち、単位時間当たりの流砂量Ｒは、河川流量と関係することが多く、河川流量が少なくなるほど、単位時間当たりの流砂量も減少する傾向にあるが、従来の河川流量から経験的に流砂量を推定するものでは安全代分が見込まれており、従来はｔ２で取水開始されていたものをｔ２１へ取水時間を延長することが可能となる。図１９は、このような事例の場合について図示している。
【００９９】
また、従来の河川流量から経験的に流砂量を推定するものとは異なり、流砂量計測器を用いて直接的に流砂量を把握できるため、より適切な設備運用・維持管理が可能となる。
判定河川流量Ｒ２２は、試験等により、得ることが可能であり、取水許容閾値ＲＯから一義的に取得できる値である。取水許容閾値ＲＯに基づいて取得できる判定河川流量Ｒ２２は、図１９に示すように、経験的な判定流量Ｒ１２よりも、前記誤差を少なくすることができる。
【０１００】
従って、図１９に示すように、判定河川流量Ｒ２２は、経験的な判定流量Ｒ１２よりも大きな値となる。
この結果、本実施形態では、判定河川流量Ｒ２１に基づいて取水口ゲート６０が閉じられる時刻ｔ１１までの最大取水量Ｒ１０以下の河川水量の領域と、判定河川流量Ｒ２２に基づいて取水口ゲート６０が開けられる時刻ｔ２１からの最大取水量Ｒ１０以下の河川水量の領域が発電使用水量となる。
【０１０１】
従って、図１９に示すように、従来と比較して、ハッチングで示されている領域の分を発電使用量として増加させることができる。すなわち、発電停止及び発電再開の精度向上により、発電ロスを減らし、発電量を増加させることができる。また、流砂量計測器を用いて直接的に流砂量を把握できるため、より適切な設備運用・維持管理が可能となる。
【０１０２】
本実施形態は、以下のように変更して実施することができる。
本実施形態及び以下の変更例は、技術的に矛盾しない範囲で互いに組み合わせて実施することができる。
【０１０３】
・第１実施形態の流砂量計測器１０は、流砂の大きさ及び流砂の大きさ混合割合を入力する入力部３７を備えるようにした。これに代えて、同じ大きさの流砂のみが河川等に流れる場合には、流砂の大きさを入力する入力部に代えてもよい。この場合は、データベースは、流砂の大きさが異なる毎に、単位時間当たり加速度の積分値と単位時間当たり流砂量とが関連付けされた組合せを、複数個有していればよい。
【０１０４】
・第２実施形態では、加速度計２０Ａ、２０Ｂを設けたが、いずれか一方を省略して、残った他方の加速度計の検出信号に基づいて、判定装置４０は、ゲート駆動部５０を開閉制御してもよい。この場合、流砂分布計測装置７０Ａ、７０Ｂ及び検出器８０Ａ、８０Ｂについても同様にいずれか一方を省略してよい。
【０１０５】
この場合、加速度計２０Ａ、流砂分布計測装置７０Ａ及び検出器８０Ａを省略した場合は、加速度計２０Ｂでは取水停止の判定はできるが、取水再開（取水口ゲート開）の判定ができなくなるが、これを操作者が判定して取水再開を行えばよい。
【０１０６】
また、加速度計２０Ｂ、流砂分布計測装置７０Ｂ及び検出器８０Ｂを省略した場合は、例えば、加速度計２０Ｂ、流砂分布計測装置７０Ｂ及び検出器８０Ｂの代わりに、加速度計２０Ａ及び流砂分布計測装置７０Ａの出力信号に基づいて、ゲート駆動部５０を閉制御するようにしてもよい。或いは、これを操作者が判定してゲート駆動部５０を閉制御するようにしてもよい。
【０１０７】
・第２実施形態では、図１５に示す判定装置４０の外部に、流砂分布計測装置７０Ａ、７０Ｂがそれぞれ電気的に接続したが、流砂分布計測装置７０Ａ、７０Ｂの機能を判定装置４０が具備していてもよい。この場合、検出器８０Ａ、８０Ｂがインターフェィス４７に電気的に接続されている。インターフェィス４７は、入力部に相当する。
【０１０８】
・また、第２実施形態では、単体の判定装置４０が単位時間当たり流砂量と取水制限閾値ＲＣの比較判定と、単位時間当たり流砂量と取水許容閾値ＲＯの比較判定を行うようにした。
【０１０９】
これに代えて、加速度計２０Ａ及び流砂分布計測装置７０Ａが電気的に接続される判定装置と、加速度計２０Ｂ及び流砂分布計測装置７０Ｂが電気的に接続される判定装置とをそれぞれ設けてもよい。
【０１１０】
この場合、加速度計２０Ａ及び流砂分布計測装置７０Ａが電気的に接続される判定装置の判定部４６は、単位時間当たり流砂量が、取水制限閾値ＲＣを越えている場合、取水口ゲート６０を閉じる取水制限信号をゲート駆動部５０に出力するものとする。
【０１１１】
また、加速度計２０Ｂ及び流砂分布計測装置７０Ｂが電気的に接続される判定装置の判定部４６は、単位時間当たり流砂量が、取水許容閾値ＲＯ未満となった場合は、取水口ゲート６０を開ける取水許容信号をゲート駆動部５０に出力するものとする。
【０１１２】
・第２実施形態において、インターフェィス４７の代わりに第１実施形態と同様に入力キーボード等の入力部を設けても良い。この場合は、第１実施形態と同様に入力部を操作して、流砂分布計測装置７０Ａ、７０Ｂが出力した流砂の大きさの混合割合を入力すればよい。
【０１１３】
・第２実施形態において、流砂分布計測装置７０Ａ、７０Ｂ、及び検出器８０Ａ、８０Ｂを省略してもよい。この場合、図１８のＳ１４０では、ＣＰＵ４１（探索部４５）は、単位時間当たり加速度の積分値に基づいて、データベースから、単位時間当たり流砂量Ｒを探索して取得するものとする。
【０１１４】
・また、第２実施形態において、流砂分布計測装置７０Ａ、７０Ｂ、及び検出器８０Ａ、８０Ｂ、並びに、加速度計２０Ａ、２０Ｂのいずれか一方を省略して、残った他方の加速度計の検出信号に基づいて、判定装置４０は、ゲート駆動部５０を開閉制御してもよい。
【０１１５】
この場合、加速度計２０Ａ、流砂分布計測装置７０Ａ、及び検出器８０Ａを省略した場合は、加速度計２０Ｂでは取水停止の判定はできるが、取水再開（取水口ゲート開）の判定ができなくなるが、これを操作者が判定して取水再開を行えばよい。
【０１１６】
また、加速度計２０Ｂ、流砂分布計測装置７０Ｂ及び検出器８０Ｂを省略した場合は、加速度計２０Ａの出力信号に基づいて、ゲート駆動部５０を閉制御するようにしてもよい。或いは、これを操作者が判定してゲート駆動部５０を閉制御するようにしてもよい。
【符号の説明】
【０１１７】
１０…流砂量計測器
２０、２０Ａ、２０Ｂ…加速度計、
２２…加速度センサ
３０…流砂量演算装置
３１…ＣＰＵ
３２…記憶装置
３３…第１演算部
３４…第２演算部
３５…探索部
３７…入力部
４０…判定装置
４１…ＣＰＵ
４２…記憶装置
４３…第１演算部
４４…第２演算部
４５…探索部
４６…判定部
４７…インターフェィス
５０…ゲート駆動部
６０…取水口ゲート
７０Ａ、７０Ｂ…流砂分布計測装置
８０Ａ、８０Ｂ…検出器
２００…取水制御装置
２０５…河川
２０６…取水口
２１０…沈砂池
２１２…導水路
２２０…水槽
２３０…水圧鉄管
２４０…流込み式発電所
【図１】
2022001829.tif 000003
【図２】
2022001829.tif 000004
【図３】
2022001829.tif 000005
【図４】
2022001829.tif 000006
【図５】
2022001829.tif 000007
【図６】
2022001829.tif 000008
【図７】
2022001829.tif 000009
【図８】
2022001829.tif 000010
【図９】
2022001829.tif 000011
【図１０】
2022001829.tif 000012
【図１１】
2022001829.tif 000013
【図１２】
2022001829.tif 000014
【図１３】
2022001829.tif 000015
【図１４】
2022001829.tif 000016
【図１５】
2022001829.tif 000017
【図１６】
2022001829.tif 000018
【図１７】
2022001829.tif 000019
【図１８】
2022001829.tif 000020
【図１９】
2022001829.tif 000021